(57)【要約】      （修正有）【課題】ノズルホルダが取り付けられた状態であっても水道の蛇口への着脱に支障を来さず、かつ、水の流出方向を使用状態に応じて適切な位置にできる使い勝手のよい蛇口コネクタを提供する。【解決手段】水道の蛇口に取り付けられる蛇口コネクタ１は、蛇口に固定される凹部２１を有する本体１０と、本体の側面に回動可能に取り付けられ、ホース継ぎ手３０を介して本体に接続されたホースの先端にあるノズルＮを保持するノズルホルダ５０と、を備える。【選択図】図５
0003203747.tif 000002
【実用新案登録請求の範囲】
【請求項１】
水道の蛇口に取り付けられる蛇口コネクタであって、
前記蛇口に固定される本体と、
前記本体の側面に回動可能に取り付けられ、前記本体に接続されたホースの先端にあるノズルを保持するノズルホルダと、を備えることを特徴とする蛇口コネクタ。
【請求項２】
前記ノズルホルダが、前記本体の側面に対し、３６０度回動可能に取り付けられていることを特徴とする請求項１に記載の蛇口コネクタ。
【請求項３】
前記本体及び前記ノズルホルダが任意の角度で互いをロック可能なロック機構を備え、
前記ロック機構が、前記本体に設けられた鋸歯状の被係合部と、前記ノズルホルダに設けられ、前記被係合部と噛み合う鋸歯状の係合部と、を有することを特徴とする請求項１又は２に記載の蛇口コネクタ。
【請求項４】
前記本体が前記ノズルホルダを取り付ける取付け部を備え、
前記ノズルホルダが前記取付け部に嵌入される突出部を備え、
前記ロック機構が、前記突出部が前記取付け部の内部に設けられた付勢部によって前記本体の側へ付勢されることによりロックされることを特徴とする請求項３に記載の蛇口コネクタ。
【請求項５】
前記ノズルホルダが、異なる外径の複数のノズルを保持可能なように、前記ノズルを挿入する方向から見て段階的に細くなる内径を有することを特徴とする請求項１から４のいずれか１項に記載の蛇口コネクタ。
【考案の詳細な説明】
【技術分野】
【０００１】
本考案は、水道の蛇口とホースとを接続するための蛇口コネクタに関する。
【背景技術】
【０００２】
従来、水道の蛇口とホースとを接続するための蛇口コネクタに、ホースの先端に設けられたノズルを保持するノズルホルダが取り付けられたものが知られている（例えば、特許文献１参照）。特許文献１では、その第１図や第２図に示されているように、ノズルホルダが蛇口から見て正面手前側に設けられている。
【０００３】
しかしながら、ノズルホルダを正面手前側に設けた場合、蛇口コネクタを蛇口に着脱するときにノズルホルダが邪魔になり、固定／解放のためにネジ等を螺入／螺出することが行い難いという問題があった。また、ノズルホルダに保持されたノズルの角度を変えようとしても正面手前の平面内での変化となって奥行き方向に変化させ難いことから、ノズルホルダが直立していたとしてもノズルが斜めの状態で固定され、収納時にノズルが曲がってしまったり、また特に手洗い時におけるノズルからの水の流出方向を適切にできないという問題があった。
【先行技術文献】
【特許文献】
【０００４】
【特許文献１】実開平２−１２５２８６号公報
【考案の概要】
【考案が解決しようとする課題】
【０００５】
そこで、本考案は、以上のような事情に鑑みてなされたものであり、その目的は、ノズルホルダが取り付けられた状態であっても水道の蛇口への着脱に支障を来さず、かつ、使用状態や収納状態に応じてノズルを適切な位置とし得る蛇口コネクタを提供することにある。
【課題を解決するための手段】
【０００６】
上記課題を解決するため、本考案は、以下のように把握される。
（１）本考案に係る第１の観点は、水道の蛇口に取り付けられる蛇口コネクタであって、前記蛇口に固定される本体と、前記本体の側面に回動可能に取り付けられ、前記本体に接続されたホースの先端にあるノズルを保持するノズルホルダと、を備えることを特徴とする。
【０００７】
（２）上記（１）の構成において、前記ノズルホルダは、前記本体の側面に対し、３６０度回動可能に取り付けられてもよい。
【０００８】
（３）上記（１）又は（２）の構成において、前記本体及び前記ノズルホルダが任意の角度で互いをロック可能なロック機構を備え、前記ロック機構は、前記本体に設けられた鋸歯状の被係合部と、前記ノズルホルダに設けられ、前記被係合部と噛み合う鋸歯状の係合部と、を有してもよい。
【０００９】
（４）上記（３）の構成において、前記本体が前記ノズルホルダを取り付ける取付け部を備え、前記ノズルホルダが前記取付け部に嵌入される突出部を備え、前記ロック機構は、前記突出部が前記取付け部の内部に設けられた付勢部によって前記本体の側へ付勢されることによりロックされてもよい。
【００１０】
（５）上記（１）から（４）のいずれか１つの構成において、前記ノズルホルダは、異なる外径の複数のノズルを保持可能なように、前記ノズルを挿入する方向から見て段階的に細くなる内径を有してもよい。
【考案の効果】
【００１１】
本考案によれば、ノズルホルダが取り付けられた状態であっても水道の蛇口への着脱に支障を来さず、かつ、使用状態や収納状態に応じてノズルを適切な位置とし得る蛇口コネクタを提供することができる。
【図面の簡単な説明】
【００１２】
【図１】本考案の実施形態に係る蛇口コネクタを正面左側からみた斜視図である。
【図２】同じく、蛇口コネクタを正面右側からみた斜視図である。
【図３】同じく、蛇口コネクタの流入口側からみた平面図である。
【図４】同じく、図３のα−α線で切断した蛇口コネクタの断面図であって、（ａ）はノズルホルダが本体の側へ付勢されている状態を、（ｂ）はノズルホルダが本体の側から離間されている状態を、それぞれ示す。
【図５】同じく、蛇口コネクタの各状態について説明する図であって、（ａ）はノズルの基部が立つ位置にノズルホルダを回動させた状態を、（ｂ）はノズルの基部が横を向いた位置にノズルホルダを回動させた状態を、それぞれ示す。
【図６】ホースがホースリールに巻回されている場合を説明する図である。
【図７】ホースがカールホースである場合を説明する図である。
【図８】ホースがカールホースである場合であって、ノズルを用いて利用者が手を洗う状態を説明する図である。
【考案を実施するための形態】
【００１３】
以下、添付図面を参照して、本考案を実施するための形態（以下、実施形態という）について詳細に説明する。なお、実施形態の説明の全体を通して同じ要素には同じ番号を付している。
【００１４】
（実施形態）
本実施形態に係る蛇口コネクタ１は、図１及び図２に示すように、本体１０と、本体１０の側面に設けられ、ホースの先端に設けられるノズル（散水ノズル）を保持するノズルホルダ５０とを備えている。
【００１５】
まず、本体１０について、説明する。本体１０は、水道の蛇口（不図示）に固定される固定部２０と、本体１０の下部に設けられたホース継ぎ手３０とを備えている。
【００１６】
固定部２０には、図１及び図２に示すように、本体１０を蛇口に固定するため、３点の固定手段４０が設けられている。ここでは、３点の固定手段４０として、凸部４１（図１では固定部２０の開口における左側に、図２では同じく中央に位置する）、ユリアネジ４２（図１では同じく上側に、図２では同じく右側に位置する）、ユリアネジ４３（図１では同じく右側に、図２では同じく左側に位置する）を示している。以下、ユリアネジ４３が設けられている方向を正面、その反対側を背面として説明する。固定部２０には、その背面側に、蛇口の形状に沿わせるための凹部２１が設けられている。
【００１７】
これら３点の固定手段４０は、均等の間隔すなわち１２０度の角度をもって固定部２０を３等分するように配置されている。ユリアネジ４３が蛇口の正面に対応する位置に配置されているが、前述のとおり、ここでは本体１０を横長の箱状のものとしているため、螺入、螺出を容易にすることを考慮して、ユリアネジ４３が正面側に、ユリアネジ４２が側方やや背面側となるように配置している。この位置関係は図示しているものに限られることはなく、本体１０の態様に応じて配置すればよい。例えば、後述するように、本体１０が円筒状に構成されているような場合には、ユリアネジ４３を正面向かって左側に、ユリアネジ４２を正面向かって右側に配置すればよく、その場合両方とも螺入、螺出を容易に行うことができる。
【００１８】
本実施形態においては、２点のネジとしてユリアネジ４２、ユリアネジ４３を図示しているが、本実施形態の適用にあたっては、ネジをユリアネジに限る必要はなく、そのほかに蝶ネジやドライバーで螺入させる通常ネジからなる群から選択してもよい。蛇口が狭い場所に設置されているような場合には、螺入のための工具としてドライバーを必要としないという点でユリアネジ又は蝶ネジが好ましい。
【００１９】
図３を用いて、３点の固定手段についてさらに説明する。本体１０は、図３に示すように、固定部２０の内側に突出して固定時に蛇口に当接する１点の凸部４１と、固定部２０の外側から蛇口に固定するための２点のユリアネジ４２、ユリアネジ４３が螺入される２点のネジ穴２２、ネジ穴２３を有する。
【００２０】
凸部４１は、平面視において、固定部２０の周縁から中心に向かって突出しており、その突出長は、蛇口に当接するか、又は近接する位置までとなっている。凸部４１の頂部４１１は、蛇口の表面に沿うように円周方向に凹状に湾曲しており、固定時に蛇口にフィットすることができる。蛇口コネクタ１を蛇口に取り付ける際には、まず、凸部４１の頂部４１１を蛇口の表面に当接又は近接させ、その後、ネジ穴２２、ネジ穴２３に螺入されているユリアネジ４２、ユリアネジ４３を蛇口に向かって締め付けていくこととなる。すなわち、凸部４１は受働的固定手段、ユリアネジ４２、ユリアネジ４３は能働的固定手段となる。
【００２１】
次に、蛇口コネクタ１の各部の構成を図４（ａ）の断面図を用いて説明する。蛇口コネクタ１は、上流から下流に向かって、蛇口との固定部２０、本体１０、ホース継ぎ手３０を備えている。そして、本体１０の内部には、固定部２０において固定された蛇口の先端を囲う弾性体部１１、蛇口から水が流入する流入口１２、水が一時貯留される貯留室１３が設けられている。
【００２２】
固定部２０には、前述のとおり、受働的固定手段としての凸部４１と、能働的固定手段としてのネジ穴２２及びそれに螺入されたユリアネジ４２が設けられている。固定部２０の外壁２０ａは下方まで延在しており、本体１０の側方外壁１０ａを構成している。
【００２３】
本体１０の内部には、蛇口の先端を囲う弾性体部１１が設けられており、その先端は蛇口から水が流入する流入口１２として形成されている。蛇口の先端はこの弾性体部１１に囲われるため、蛇口から流出した水は固定部２０へ逆流して溢れ出すことはない。流入口１２から流入した水は貯留室１３で一時的に貯留される。貯留室１３は本体１０の底壁１０ｂ及びホース継ぎ手３０と一体的に形成された内壁１４によって囲われており、内壁１４の上端が弾性体部１１に貫入して貯留室１３の水密性を維持している。
【００２４】
ホース継ぎ手３０は、ホースに取り付けられたカップリング（不図示）に挿入される部分であり、貯留室１３の出口３１から流出口３２まで延在する。ホース継ぎ手３０の先端手前には、カップリングとの間の水密性を維持するため、Ｏ−リング３３が嵌合されている。
【００２５】
次に、ノズルホルダ５０の構成、本体１０との取付けの構成について図４（ａ）及び図４（ｂ）の断面図を用いて説明する。前述したとおり、ノズルホルダ５０は、蛇口コネクタ１の本体１０の側面に取り付けられており、本体１０に接続されたホースの先端にあるノズルを保持するものである。本実施形態では、ノズルホルダ５０は本体１０の側面に回動可能に取り付けられており、ノズルホルダ５０の側からみたときに時計回り及び／又は反時計回りの方向、すなわち、本体１０の正面から見たときに手前及び／又は奥行きの方向に、３６０度回動可能である。そして、利用者の所望の任意の角度を維持しロックするためのロック機構６０を備えている。
【００２６】
図４（ａ）に示すように、本体１０は、その側面（図中左側）にノズルホルダ５０を取り付ける取付け部１５を備えている。一方、ノズルホルダ５０は、取付け部１５に嵌入される突出部５１を備えている。ノズルホルダ５０の突出部５１は、本体１０の取付け部１５に、次のようにして取り付けられている。すなわち、取付け部１５の内部には、本体１０の側からノズルホルダ５０の側に向かって順に、基台部１５１、軸部１５２、付勢部１５３、被当接部１５４が設けられている。
【００２７】
基台部１５１は本体１０と取付け部１５の間にあって取付け部１５に固定されており、その中央を軸部１５２が貫通している。被当接部１５４は、取付け部１５のノズルホルダ５０側の外壁の一部を兼ねており、付勢部１５３は、基台部１５１と被当接部１５４に固定され、軸方向に緊縮するように付勢されている。
【００２８】
ノズルホルダ５０の突出部５１は、これらに対応して構成されており、軸部１５２が挿入される筒状部５１１と、筒状部５１１の基部を環状に取り巻く当接部５１２を有している。取付け部１５の被当接部１５４とノズルホルダ５０の当接部５１２は、互いにオスメスの形状となっている。
【００２９】
これらの構成において、ノズルホルダ５０が本体１０の取付け部１５から離間するように引張られた状態が、図４（ｂ）に示されている。ノズルホルダ５０は、その当接部５１２が取付け部１５の被当接部１５４の外縁１５４ａから外れない程度に引張り出されるように構成されている。
【００３０】
ここで、ロック機構６０について、説明する。図３に示すように、ロック機構６０は、本体１０及びノズルホルダ５０が任意の角度で互いをロック可能なものであって、本体１０の取付け部１５のノズルホルダ５０側の端部（図中左端）に設けられた鋸歯状の被係合部６１と、ノズルホルダ５０の突出部５１の当接部５１２の周縁に設けられた鋸歯状の係合部６２とから構成され、被係合部６１と係合部６２は、互いに噛み合うようになっている。ロック機構６０を図４（ａ）及び図４（ｂ）で見ると、図４（ａ）では、被係合部６１と係合部６２は互いに噛み合った状態となっており、図４（ｂ）では、被係合部６１と係合部６２は互いに離間した状態となっている。
【００３１】
図４（ｂ）の状態でノズルホルダ５０を回動させた後に本体１０側に戻すことにより、ノズルホルダ５０を所望の任意の角度に設定することができる。例えば、図５（ａ）は、ノズルホルダ５０を本体１０に対して直立させた場合を示しており、ノズルホルダ５０を本体１０側から手前（図中左側）に引いてロック機構６０を解除し、そして手前側に９０度回動させた後、ロック機構６０を元に戻すと、図５（ｂ）に示すように、ノズルホルダ５０はその先端が下向きに固定されることとなる。なお、図５（ａ）では、本体１０とノズルホルダ５０の双方が直立している場合を図示しているが、蛇口が傾いている場合には本体１０も傾くことになるため、ノズルホルダ５０を回動させてノズルホルダ５０のみを直立させても、もちろんよい。
【００３２】
さらに、具体的にホースを接続した場合について説明する。まず、蛇口コネクタ１に接続されるホースＨがリールタイプの場合には、一般的にはノズルホルダがリールＲのフレームＦｒに設けられているため、手を洗うときやノズルを持つときにその都度しゃがまざるを得なかった。これに対し、本実施形態では、図６に示すように、ノズルホルダ５０が蛇口コネクタ１の側面に設けられていることから、ノズルＮは蛇口Ｆとほぼ同じ高さに位置し、しゃがまなくても、自然な位置で手を洗ったり、ノズルＮを持ったりすることが可能となる。
【００３３】
蛇口コネクタ１に接続されるホースＨがカールタイプの場合には、一般的にはノズルの置場がないため、垂れ下がった状態又は地面上に投げ出した状態で放置するか、蛇口コネクタ１から外して専用のスタンドに掛けておかなければならなかった。これに対し、本実施形態では、図７に示すように、ノズルホルダ５０が蛇口コネクタ１の側面に設けられていることから、ノズルＮは蛇口Ｆとほぼ同じ高さに位置し、ホースＨが余計なスペースを取らずに使い易い状態でノズルＮを保持することが可能となる。
【００３４】
さらに、ホースＨがリールタイプやカールタイプなどいずれのタイプであっても、図８に示すように（図８では、カールタイプのホースＨを図示）、ノズルホルダ５０が蛇口コネクタ１の側面に回動可能に設けられていることから、ノズルＮからの水の流出方向を任意に調節することができ、通常の蛇口Ｆとほぼ変わらない位置で手を洗うことが可能となる。
【００３５】
最後に、図４（ａ）及び図４（ｂ）に戻り、ノズルホルダ５０は、異なる外径の複数のノズルＮを保持可能なように、ノズルＮを挿入する方向から見て段階的に細くなる内径を有するように構成してもよい点を説明する。すなわち、ノズルＮは幾つかの外径のものがあるため、ノズルホルダ５０が異なる外径のノズルＮを保持できれば、極めて有用である。ここでは、ノズルホルダ５０の外径と内径の双方を２段階とした場合として、第１径部５０ａと第２径部５０ｂを設けた場合を示している。このようにすると、相対的に太い径のノズルＮは第１径部５０ａで、相対的に細い径のノズルＮは第２径部５０ｂで保持されることとなる。なお、外径は変化させずに内径のみを段階的に変化させたり、２段階ではなく３段階以上に内径を変化させてもよい。
【００３６】
（実施形態の効果）
以上、説明した実施形態に係る蛇口コネクタ１によれば、ノズルホルダ５０が取り付けられた状態であっても水道の蛇口Ｆへの着脱に支障を来さず、かつ、蛇口ＦやノズルＮの固有の角度にとらわれず、使用状態や収納状態に応じてノズルＮを適切な位置とし得る蛇口コネクタ１を提供することができる。
【００３７】
以上、実施形態を用いて本考案を説明したが、本考案の技術的範囲は上記実施形態に記載の範囲には限定されないことは言うまでもない。上記実施形態に、多様な変更又は改良を加えることが可能であることが当業者に明らかである。またその様な変更又は改良を加えた形態も本考案の技術的範囲に含まれ得ることが、実用新案登録請求の範囲の記載から明らかである。
【符号の説明】
【００３８】
１…蛇口コネクタ
１０…本体
１０ａ…側方外壁（本体１０の）
１０ｂ…底壁（本体１０の）
１１…弾性体部
１２…流入口
１３…貯留室
１４…内壁
１５…取付け部
１５１…基台部
１５２…軸部
１５３…付勢部
１５４…被当接部
２０…固定部
２０ａ…外壁（固体部２０の）
２１…凹部（固定部２０の）
２２，２３，２４…ネジ穴
３０…ホース継ぎ手
３１…出口
３２…流出口
３３…Ｏ−リング
４０…固定手段
４１…凸部
４１１…頂部（凸部４１の）
４２，４３，４４…ユリアネジ（ネジ）
５０…ノズルホルダ
５０ａ…第１径部
５０ｂ…第２径部
５１…突出部
５１１…筒状部
５１２…当接部
Ｎ…ノズル
Ｆ…蛇口
Ｈ…ホース
Ｒ…リール
Ｆｒ…フレーム
【図１】
0003203747.tif 000003
【図２】
0003203747.tif 000004
【図３】
0003203747.tif 000005
【図４】
0003203747.tif 000006
【図５】
0003203747.tif 000007
【図６】
0003203747.tif 000008
【図７】
0003203747.tif 000009
【図８】
0003203747.tif 000010